(57)【要約】      （修正有）【課題】部品点数を少なくし、バネ丁番のような弾性を持たせ、その上、組立て分解を簡単にさせる。【解決手段】弾性を有する金属製の板状テンプル（１０）の先端部は、コの字型に型抜きされ先端が鉤状（１４）に形成された舌状部（１６）と先端基体部（１３）とに部分的に分離加工され、ヨロイ部品（２０）は、その後部に、前記テンプル舌状部鉤状部を嵌合する開口貫通孔（２４）と、後端部には前記舌状部中間部（１８）に適合する湾入凹部（２８）とを有し、前記テンプル先端基体部と舌状部により前記ヨロイ部品は挟持され、前記ヨロイ側後端部を支点としテンプル先端基体部が当接しながら前記舌状部又は先端基体部又はその両方が弾性を持って曲がる事により内側に回動され、前記テンプル舌状部中間部がヨロイ側湾入凹部に嵌合し、テンプル先端基体部又は前記舌状部又はその両方が弾性的に曲がる事により、過開拡される。【選択図】図１
2011095691.tif 000002
【特許請求の範囲】
【請求項１】
弾性を有する金属製の板状テンプルの先端部は、コの字型に型抜きされ先端が鉤状に形成された舌状部と先端基体部とに部分的に分離加工され、そして、ヨロイ部品は、その後部に、前記テンプル舌状部鉤状部を嵌合する開口貫通孔と、後端部には前記舌状部中間部に適合する湾入凹部とを有し、そして、前記テンプル先端基体部と舌状部により前記ヨロイ部品は挟持される様にされ、そして、前記テンプルを折り畳み収納する際は、前記ヨロイ側後端部を支点としテンプル先端基体部が当接しながら前記舌状部又は先端基体部又はその両方が弾性を持って曲がる事により前記テンプルが内側に弾性を持って回動され、外側に過開拡する際には、前記テンプル舌状部中間部がヨロイ側湾入凹部に嵌合し、テンプル先端基体部又は前記舌状部又はその両方が弾性的に曲がる事により、前記テンプルがヨロイ側湾入凹部内端部を支点とし外側に弾性を持って回動し過開拡される事を特徴とする眼鏡用のヒンジ機構。
【請求項２】
前記テンプル先端部に設けられるコの字型の先端が鉤状をした舌状部は上下に並列して少なくとも１〜３箇所であり、そして、相対し組み合わされるヨロイ側には、前記舌状部鉤状部を嵌合する開口貫通孔と前記舌状部中間部に適合する湾入凹部とが同じ箇所数だけ設けられた事を特徴とする請求項１記載の眼鏡用のヒンジ機構。
【発明の詳細な説明】
【技術分野】
【０００１】  本発明は、幅広な金属製のテンプルを有する眼鏡用のヒンジ機構に関し、更に詳しくは、弾性作用を有するヒンジ機構に関する。
【背景技術】
【０００２】  幅広で金属製のテンプルを左右後端部に有し、折り畳み可能なヒンジを有する眼鏡に於いては、そのテンプルを弾性的に半自動的に折り畳みし、又は、外側に弾性的に拡がる事による顔面への掛け易さを得る為に、例えば特開平０６−２４２４０６号の様に。バネヒンジ機構が取り付けられてきた。【０００３】
【先行技術文献】
【特許文献１】特開平０６−２４２４０６号
【発明の概要】
【発明が解決しようとする課題】
【０００４】  しかしながら、従来のバネヒンジ機構に於いては、構造が複雑で故障が多く、そして、部品が小さいため、組立てや分解が専門性を有し、非常に細かい作業を要求され時間と費用が掛かった。特に、ヒンジ部分におけるピン、ネジの取付け取り外しに於いては困難であった。
【課題を解決するための手段】
【０００５】  本発明は、眼鏡用のヒンジ機構に関し、そのヒンジ機構に於いて、弾性を有する金属製の板状テンプルの先端部は、コの字型に型抜きされ先端が鉤状に形成された舌状部と先端基体部とに部分的に分離加工され、そして、ヨロイ部品は、その後部に、前記テンプル舌状部鉤状部を嵌合する開口貫通孔と、後端部には前記舌状部中間部に適合する湾入凹部とを有し、そして、前記テンプル先端基体部と舌状部により前記ヨロイ部品は挟持される様にされ、そして、前記テンプルを折り畳み収納する際は、前記ヨロイ側後端部を支点としテンプル先端基体部が当接しながら前記舌状部又は先端基体部又はその両方が弾性を持って曲がる事により前記テンプルが内側に弾性を持って回動され、外側に過開拡する際には、前記テンプル舌状部中間部がヨロイ側湾入凹部に嵌合し、テンプル先端基体部又は前記舌状部又はその両方が弾性的に曲がる事により、前記テンプルがヨロイ側湾入凹部内端部を支点とし外側に弾性を持って回動し過開拡される事を特徴とする。
【発明の効果】
【０００６】  本発明の眼鏡用のヒンジ機構の採用により、ヒンジ部分の部品点数が少なくて済み、特にピンやネジを必要とせず、その分組立て・分解が簡単で、道具類、例えばドライバー等を使用しなくても簡単に行える事となった。又、コイルバネ等の使用も無く、テンプルの弾性的な開閉が出来、掛け易く非常に便利になった。
【図面の簡単な説明】
【０００７】
【図１】本発明の実施例の要部分解斜視図
【図２】本発明の実施例の要部平面図
【図３】本発明の実施例の要部平面図
【図４】本発明の実施例の要部平面図
【図５】本発明の実施例の組立て法説明用の分解斜視図
【図６】本発明の実施例の組立て後の要部斜視図
【図７】本発明の他の実施例の要部分解斜視図
【図８】本発明の他の実施例の要部分解斜視図
【図９】従来図
【発明を実施するための形態】
【０００８】  ピンやネジ、更にコイルバネ等を使用せずに、バネヒンジと同様またはそれ以上の掛け易さと、組み立て・分解の容易さを得る事を実現した。
【実施例１】
【０００９】  以下図により本発明を説明すると、図１は本発明の実施例の要部分解斜視図であり、この場合は、テンプル１０の舌状部１６とヨロイ部品２０の嵌合用開口貫通孔２４部分が二箇所設けられたタイプの物である。【００１０】  弾性を有する金属製のテンプル１０、これは弾性を有する金属板を打ち抜き加工・レーザー切削で加工されたものが好ましいが勿論それに拘るものではない。そしてその板状テンプル１０の先端部１２は、コの字型に型抜きされ先端が鉤状１４に形成された舌状部１６が加工形成され、型抜きされた片方は先端基体部１３となる。そして、ヨロイ部品２０も前記テンプル同様に金属板の打ち抜き加工されたもので良い。該ヨロイ部品２０はその先端部はレンズフレーム又はレンズに直接連結されている。そしてその後部付近２２には、前記テンプル舌状部鉤部１４に嵌合する開口貫通孔２４が設けられ、ヨロイ部品２０の後端部２６には、前記テンプル側舌状部中間部１８に適合する湾入凹部２８が設けられた構造となっている。【００１１】  そして、テンプル先端基体部１３と舌状部１６とによりヨロイ部品２０が挟持される。それが図２、図３の要部平面図である。そして、前記テンプル１０を折り畳み収納する際は、テンプル１０を内側方向に回すように折り畳むと、ヨロイ側後端部２３を支点としてテンプル先端基体部１３が後端部２３に当接しながら廻り、前記舌状部１６又は先端基体部１３又はその両方が可撓性を有し、弾性的に曲がる事により、前記テンプル１０は弾性を持って内側に回動する。その折畳んだ状態から開く際にも勿論弾性が働き半自動的に開拡する。【００１２】  次に図２と図４の様に、眼鏡のテンプルを通常の使用状態から、更に外側に過開拡する際は、前記テンプル舌状部中間部１８がヨロイ側湾入凹部２８に嵌合し、湾入凹部内端部２５を支点としてテンプル１０が回動し、そしてテンプル先端基体部１３又は前記舌状部１６又はその両方が弾性を持って曲がる事により、且つ、鉤状部分１４がヨロイ側後端部をしっかり掴む事により外れる事無く、外側に角度α分過開拡し眼鏡を掛け易くし、且つ適度な弾力を持ってこめかみに当接する事となる。【００１３】  次に、本発明に於ける、テンプルとヨロイ部との組み立て、及び分解の簡単さに付いて説明する。先ず、図５の様に、ヨロイ部品２０の後端部２６の凸部２７とテンプル１０の内側とをほぼ直角ぐらいにして、テンプル先端基体部１３と打ち抜き舌状部１６の先端鉤状部１４の間の隙間１１に前記ヨロイ側凸部２７を差し込むようにして、テンプルを矢印Ｔの方向に押し開く、そうすると鉤状部１４の先端がヨロイ側凸部２７により引き起こされ、ヨロイ部品２０はテンプル１０と舌状部１６により挟持される状態で平行になる。そして、テンプル１０を少し下方にずらす様にして動かすとぴちっと音がしてテンプル鉤状部１４がヨロイ側開口貫通孔２４に嵌合し組立て終了となる。この様に非常に簡単で、道具・治具の使用無しに素人でも一回やれば直ぐ覚えられるほど簡単である。【００１４】  又、次にテンプル１０を分離する場合は、図４の様なテンプル１０を過開拡にした状態から、矢印Ｘの方向に少し力を入れて引くと抜けて簡単に分離される。しかし、眼鏡の掛け外し、又���掛けている状態でこういうような力が働くことは先ずないので、掛け外しの際に簡単に外れることは全く無く、しっかりと連結結合され安全である。【００１５】  そして図６はテンプル１０とヨロイ１０が組立てられた斜視図であり，幾何学的模様として組立て部が現れ装飾的にも面白い結果となった。【００１６】  次に、図７は本発明の他の実施例の分解斜視図であり、テンプル１０ａに設けられるコの字型の先端が鉤状１４ａした舌状部１６ａが一箇所の場合であり、そして相対する組み合わされるヨロイ側部品２０には前記テンプル舌状部１６ａの鉤状部１４ａを嵌合する開口貫通孔２４ａと前記舌状部中間部１８ａに適合する湾入凹部２８ａが同じ一箇所だけ設けられたものでありこの様な変化例も考えられやや細身のテンプル用に有効である。【００１７】  又、図８は他の実施例の分解斜視図であり、それは、テンプル１０ｂに設けられているコの字型の先端が鉤状１４ｂをした舌状部１６ｂが三箇所の場合であり、そして相対し組み合わせられるヨロイ側部品２０ｂには前記テンプル側舌状部１６ｂの鉤状部１４ｂを嵌合する開口貫通孔２４ｂと前記舌状部中間部１８ｂに適合する湾入凹部２８ｂが同じ三箇所設けられた状態を表しており、余程幅広のテンプル用にはしっかりと安定を保つ事が可能となる。図９は従来図であり、同じ様な効果を持ったバネ丁番であるが、構造が複雑であり、故障も多く、組立て分解も大変であった。
【符号の説明】
【００１８】１０            テンプル
１２            テンプル先端部
１３            テンプル先端基体部
１４            テンプル鉤状部
１６            テンプル舌状部
１８            テンプル舌状部中間部
２０            ヨロイ部品
２２            ヨロイ後部
２４            ヨロイ部開口貫通孔
２８            湾入凹部
【図１】
2011095691.tif 000003
【図２】
2011095691.tif 000004
【図３】
2011095691.tif 000005
【図４】
2011095691.tif 000006
【図５】
2011095691.tif 000007
【図６】
2011095691.tif 000008
【図７】
2011095691.tif 000009
【図８】
2011095691.tif 000010
【図９】
2011095691.tif 000011